(57)【要約】【課題】透光板と投写光学用筐体との隙間から投写光学用筐体の内部への塵埃の流入を抑制する投写光学装置、および投写光学装置を備えたプロジェクターを提供する。【解決手段】屈折光学系と反射光学系とを備える投写光学装置５は、投写光学用筐体５１と、投写光を透過させる透光板５６とを備える。投写光学用筐体５１は、透光板保持部５５（投写光を通過させる開口部５５１、透光板５６を設置する保持部５５２）を備える。介在部材５７（第１介在部材５７１、第２介在部材５７２）は、透光板５６と保持部５５２との間に弾力性を有して設置され、保持部５５２を分割して全周を覆う。第１介在部材５７１は保持部５５２または透光板５６の辺部５６２に設置され、第２介在部材５７２は透光板５６の外周端面５６１に設置される。介在部材５７は、透光板５６に押圧されて透光板保持部５５に保持される。【選択図】図５
2016184153.tif 000002
【特許請求の範囲】
【請求項１】
複数のレンズを有する屈折光学系と、反射ミラーを有する反射光学系とを備える投写光学装置であって、
前記屈折光学系および前記反射光学系を収容する投写光学用筐体と、
前記投写光学用筐体に設置され、前記反射光学系から射出された投写光を透過させる透光板と、を備え、
前記投写光学用筐体は、前記透光板を保持する透光板保持部を備え、
前記透光板保持部は、前記投写光を通過させる開口部、および前記開口部に沿って形成されて前記透光板を設置する保持部を備え、
前記透光板と前記保持部との間に弾力性を有して設置される介在部材を備え、
前記介在部材は、第１の介在部材と第２の介在部材とを有して前記保持部を分割して全周を覆い、
前記第１の介在部材は前記保持部または前記透光板の辺部に設置され、前記第２の介在部材は前記透光板の外周端面に設置され、
前記透光板は、前記第１の介在部材および前記第２の介在部材を前記保持部に対して押圧して前記透光板保持部に保持されることを特徴とする投写光学装置。
【請求項２】
請求項１に記載の投写光学装置であって、
前記透光板は矩形状に形成され、
前記透光板の一辺側の外周端面に対応する前記保持部には、前記外周端面が挿入されて設置される挿入部を備え、
前記第２の介在部材は、前記一辺側の外周端面に設置され、
前記第１の介在部材は、前記透光板の他の三辺側の辺部、または前記辺部に対応する前記保持部に設置されることを特徴とする投写光学装置。
【請求項３】
請求項１に記載の投写光学装置であって、
前記透光板は矩形状に形成され、
前記透光板の前記第１の介在部材が配置されたいずれかの前記辺部を押圧する押圧部材を備え、
前記透光板は、前記押圧部材により、前記透光板保持部に保持されることを特徴とする投写光学装置。
【請求項４】
請求項１〜請求項３のいずれか一項に記載の投写光学装置であって、
前記第１の介在部材および前記第２の介在部材は、クッション部材で構成されていることを特徴とする投写光学装置。
【請求項５】
光を射出する光源装置と、
前記光を画像情報に応じて変調する光変調装置と、
前記光変調装置で変調された変調光を投写する、請求項１〜請求項４のいずれか一項に記載の投写光学装置と、
前記光源装置、前記光変調装置、および前記投写光学装置を収容し、外装を構成する外装筐体と、を備え、
前記外装筐体は、前記投写光学用筐体の前記開口部に対応して、前記開口部を通過した前記投写光を通過させる開口部を備えていることを特徴とするプロジェクター。
【発明の詳細な説明】
【技術分野】
【０００１】
本発明は、投写光学装置、および投写光学装置を備えたプロジェクターに関する。
【背景技術】
【０００２】
従来、光源から射出される光（射出光）を画像情報に応じて光変調装置で変調し、投写光学装置で拡大投写するプロジェクターが知られている。また、プロジェクターには、スクリーン等の投写面に、近距離から広画角で投写するものがある。このようなプロジェクターでは、近距離で広画角な投写が可能な投写光学装置として、短焦点の投写光学装置が用いられている。なお、近年、近距離で広画角とするための投写光学系は、屈折光学系と共に、屈折・反射複合光学系が用いられている。
【０００３】
投写光学装置は、通常、屈折・反射複合光学系を収容する投写光学用筐体を有している。また、投写光学用筐体は、例えば、プロジェクターの外装筐体に収容される。そして、投写光学用筐体には、反射光学系から反射された光を投写光学用筐体からスクリーンに向けて透過させる透光板が設置されている。また、透光板を透過した光は、プロジェクターの外装筐体に設けられて透光板に対応して形成される開口部から射出される。
【０００４】
また、プロジェクターには、外装筐体内部に冷却機構が備わっている。そして、冷却機構は、冷却機構を構成する冷却ファンを駆動して外気を外装筐体の内部に流入させ、流入した外気を冷却風として発熱する光学部品に吹き付けて冷却する。なお、プロジェクターには、外気を外装筐体内部に流入させる際、外気に含まれる塵埃を除去する目的で、フィルターが設置されている。
【０００５】
特許文献１では、広角性を損なうことなく、小さいミラーを搭載し、良好な画像が得られる安価かつコンパクトなミラー型の投射光学系が開示されている。
【先行技術文献】
【特許文献】
【０００６】
【特許文献１】特開２０１２−２０３１３９号公報
【発明の概要】
【発明が解決しようとする課題】
【０００７】
プロジェクターに備わるフィルターに塵埃が付着し続けた場合には、フィルターの目詰まりが発生しやすくなる。フィルターが目詰まりを発生させた場合、冷却ファンを駆動させることにより、プロジェクターを構成する構成部材間の隙間を介して外気が外装筐体内部に流入する状態となる。そうした場合、塵埃が直接的に外装筐体内部に流入することになる。
【０００８】
外装筐体に収容される投写光学装置でも例外ではなく、外装筐体の開口部を介して、透光板と、透光板が設置される投写光学用筐体との隙間から塵埃が投写光学用筐体の内部に流入する。塵埃が投写光学用筐体の内部に流入した場合、光学系を構成する各種レンズの表面等に塵埃が付着する。そして、各種レンズの表面等に塵埃が付着した状態で画像を投写した場合、塵埃が影となってスクリーン等に投写される。これにより、投写画像の品質が低下するという課題がある。
【０００９】
従って、透光板と投写光学用筐体との隙間から投写光学用筐体の内部への塵埃の流入を抑制する投写光学装置、および投写光学装置を備えたプロジェクターが要望されていた。
【課題を解決するための手段】
【００１０】
本発明は、上述した課題の少なくとも一部を解決するためになされたものであり、以下の形態または適用例として実現することが可能である。
【００１１】
［適用例１］本適用例に係る投写光学装置は、複数のレンズを有する屈折光学系と、反射ミラーを有する反射光学系とを備える投写光学装置であって、屈折光学系および反射光学系を収容する投写光学用筐体と、投写光学用筐体に設置され、反射光学系から射出された投写光を透過させる透光板と、を備え、投写光学用筐体は、透光板を保持する透光板保持部を備え、透光板保持部は、投写光を通過させる開口部、および開口部に沿って形成されて透光板を設置する保持部を備え、透光板と保持部との間に弾力性を有して設置される介在部材を備え、介在部材は、第１の介在部材と第２の介在部材とを有して保持部を分割して全周を覆い、第１の介在部材は保持部または透光板の辺部に設置され、第２の介在部材は透光板の外周端面に設置され、透光板は、第１の介在部材および第２の介在部材を保持部に対して押圧して透光板保持部に保持されることを特徴とする。
【００１２】
このような投写光学装置によれば、保持部を分割する形態で全周を覆う第１の介在部材と第２の介在部材とを有し、透光板は、第１の介在部材および第２の介在部材を保持部に対して押圧して透光板保持部に保持される。これにより、透光板と投写光学用筐体（透光板保持部）との隙間を介在部材により塞ぐことができるため、投写光学用筐体の内部への塵埃の流入を抑制することができる。
また、第１の介在部材は保持部または透光板の辺部に設置され、第２の介在部材は透光板の外周端面に設置される構成であるため、例えば、透光板保持部の保持部が均等に形成されていない場合や、保持部が異形の形状に構成される場合等の様に、保持部に介在部材を一様に設置できない場合にも対応させることができる。
【００１３】
［適用例２］上記適用例に係る投写光学装置において、透光板は矩形状に形成され、透光板の一辺側の外周端面に対応する保持部には、外周端面が挿入されて設置される挿入部を備え、第２の介在部材は、一辺側の外周端面に設置され、第１の介在部材は、透光板の他の三辺側の辺部、または辺部に対応する保持部に設置されることが好ましい。
【００１４】
このような投写光学装置によれば、透光板が矩形状に形成され、透光板の一辺側の外周端面に対応する保持部に挿入部が備わる場合、透光板の一辺側の外周端面に第２の介在部材を設置する。これにより、透光板を挿入部に挿入する場合、透光板の一辺側の外周端面を挿入しても第２の介在部材が剥離することなく挿入することができ、第２の介在部材を保持部に押圧することができる。また、第１の介在部材は、透光板の他の三辺側の辺部、または辺部に対応する保持部に設置されることにより、透光板を挿入部に挿入した場合でも、第１の介在部材、第２の介在部材を押圧することができる。これにより、透光板と保持部との隙間を塞ぐことができ、投写光学用筐体の内部への塵埃の流入を抑制することができる。
【００１５】
［適用例３］上記適用例に係る投写光学装置において、透光板は矩形状に形成され、透光板の第１の介在部材が配置されたいずれかの辺部を押圧する押圧部材を備え、透光板は、押圧部材により、透光板保持部に保持されることが好ましい。
【００１６】
このような投写光学装置によれば、透光板の辺部のうち、第１の介在部材が配置されたいずれかの辺部が押圧部材に押圧される。これにより、透光板は、介在部材を押圧した状態で透光板保持部に安定して保持される。
【００１７】
［適用例４］上記適用例に係る投写光学装置において、第１の介在部材および第２の介在部材は、クッション部材で構成されていることが好ましい。
【００１８】
このような投写光学装置によれば、第１の介在部材および第２の介在部材は、クッション部材で構成されることにより、第１の介在部材および第２の介在部材を簡易に構成することができる。
【００１９】
［適用例５］本適用例に係るプロジェクターは、光を射出する光源装置と、光を画像情報に応じて変調する光変調装置と、光変調装置で変調された変調光を投写する、上述したいずれかに記載の投写光学装置と、光源装置、光変調装置、および投写光学装置を収容し、外装を構成する外装筐体と、を備え、外装筐体は、投写光学用筐体の開口部に対応して、開口部を通過した投写光を通過させる開口部を備えていることを特徴とする。
【００２０】
このようなプロジェクターによれば、透光板と投写光学用筐体との隙間を介しての、投写光学用筐体の内部への塵埃の流入を抑制することができる投写光学装置を備えるため、投写画像の品質を向上させることができる。
【図面の簡単な説明】
【００２１】
【図１】本実施形態に係るプロジェクターの使用形態を示す斜視図。
【図２】プロジェクターの光学ユニットを模式的に示す図。
【図３】投写光学装置の斜視図。
【図４】投写光学装置の概断面図。
【図５】透光板保持部、透光板、介在部材の分解斜視図。
【図６】透光板が保持部に保持された状態の概断面図。
【図７】変形例の上側筐体を示す斜視図。
【図８】変形例における透光板が配置された上側筐体を透光板側から見た平面図。
【発明を実施するための形態】
【００２２】
以下、実施形態を図面に基づいて説明する。
【００２３】
〔実施形態〕
【００２４】
〔プロジェクター１の使用形態と動作〕
図１は、本実施形態に係るプロジェクター１の使用形態を示す斜視図である。なお、プロジェクター１には、本実施形態に係る投写光学装置５がプロジェクター１の外装筐体１０の内部に備えられている。
【００２５】
本実施形態のプロジェクター１は、図１に示すように、壁面Ｗに設置される支持装置ＳＤに、底面１Ａが上側となり、上面１Ｂが下側となるように支持されて設置される。また、投写面としてのスクリーンＳＣは、プロジェクター１の設置される壁面Ｗの下側で、プロジェクター１に近づいた位置に設置される。
【００２６】
プロジェクター１は、光源装置３１から射出された射出光を、画像情報に応じて光変調装置としての液晶パネル３５１で変調し、変調光を画像光として投写光学装置５（いずれも図２を参照）を介して拡大投写する装置である。なお、プロジェクター１は、投写光学装置５の反射光学系（反射ミラー７１（図２以降を参照））で反射された画像光（投写光）を底面１Ａの反対側からスクリーンＳＣに投写する。本実施形態のプロジェクター１は、スクリーンＳＣに対して近距離から大画面（広画角）で投写する、いわゆる短焦点型のプロジェクターとして構成されている。
【００２７】
〔プロジェクター１の光学ユニット３の構成と動作〕
図２は、プロジェクター１の光学ユニット３を模式的に示す図である。光学ユニット３は、制御部（図示省略）による制御に基づいて動作し、画像情報に応じて画像光を形成するものである。光学ユニット３は、図２に示すように、光源ランプ３１１およびリフレクター３１２を有する光源装置３１と、レンズアレイ３２１，３２２、偏光変換素子３２３、重畳レンズ３２４、および平行化レンズ３２５を有する照明光学装置３２とを備えている。また、光学ユニット３は、ダイクロイックミラー３３１，３３２、および反射ミラー３３３を有する色分離光学装置３３と、入射側レンズ３４１、リレーレンズ３４３、および反射ミラー３４２，３４４を有するリレー光学装置３４とを備えている。
【００２８】
また、光学ユニット３は、光変調装置としての３つの液晶パネル３５１（赤色光（Ｒ光）用の液晶パネルを３５１Ｒ、緑色光（Ｇ光）用の液晶パネルを３５１Ｇ、青色光（Ｂ光）用の液晶パネルを３５１Ｂとする）、３つの入射側偏光板３５２、３つの射出側偏光板３５３、および色合成光学装置としてのクロスダイクロイックプリズム３５４を有する電気光学装置３５を備えている。また、光学ユニット３は、投写光学装置５と、各光学装置３１〜３５を収容する光学部品用筐体３６とを備えている。
【００２９】
光学ユニット３は、上述した構成により、光源装置３１から射出されて照明光学装置３２を介した光を、色分離光学装置３３で、Ｒ光、Ｇ光、Ｂ光の３つの色光に分離する。また、分離された各色光は、各液晶パネル３５１で画像情報に応じてそれぞれ変調され、色光毎の変調光として形成される。色光毎の変調光は、クロスダイクロイックプリズム３５４に入射して画像光として合成され、投写光学装置５を介してスクリーンＳＣ（図１）等に拡大投写される。なお、上述した各光学装置３１〜３５については、種々の一般的なプロジェクターの光学系として利用されているため、具体的な説明を省略する。
【００３０】
〔投写光学装置５の概要〕
図３は、投写光学装置５の斜視図である。図４は、投写光学装置５の概断面図である。なお、図３は、投写光学装置５を後側の上側から見た斜視図である。図４は、光軸Ｃを通り、上下方向に沿う面における投写光学装置５の断面図である。図３、図４を参照して、投写光学装置５を構成する各部材の構成と動作を含めて投写光学装置５を概略説明する。なお、図４では、介在部材５７の図示を省略している。
【００３１】
なお、図３以降では、説明の便宜上、投写光学装置５の屈折光学系（第１光学系６）に画像光が入射する入射側を後側、第１光学系６から画像光が射出される射出側を前側とする。また、図３に示す図で、紙面の上方向を上側、下方向を下側とする。また、第１光学系６から画像光が射出される射出側に沿って見た場合の左右方向を左側、右側として適宜使用する。従って、図１に示す使用状態において、投写光学装置５は、上下左右を逆転させた状態で設置されることになる。なお、これは、プロジェクター１の上下左右を逆転させた状態となる。
【００３２】
投写光学装置５は、図３、図４に示すように、投写光学系として、第１光学系６（屈折光学系）と第２光学系７（反射光学系）とを併せた光学系として構成されている。本実施形態の投写光学装置５は、クロスダイクロイックプリズム３５４から射出された画像光を、第１光学系６で屈折させ、反射ミラー７１で構成される第２光学系７で反射させてスクリーンＳＣに投写する。投写光学装置５は、第１光学系６として、１つあるいは複数のレンズを１つのレンズ群とする複数のレンズ群を備えており、これらのレンズ群が光軸Ｃに沿って配置されている。なお、本実施形態の投写光学装置５は、短焦点の投写光学装置として構成され、第１光学系６は、入射する画像光をフォーカス調整する機能を有している。
【００３３】
投写光学装置５は、装置のベースとなる投写光学用筐体５１と、投写光学用筐体５１に収容される第１光学系６および第２光学系７と、反射ミラー７１で反射された反射光（投写光）を透過する透光板５６とを備えて概略構成されている。また、投写光学用筐体５１は、第１光学系６および第２光学系７を収容する下側筐体５２と、下側筐体５２の上部を覆うと共に透光板５６を保持する上側筐体５３とを備えている。
【００３４】
第１光学系６は、案内筒６５、カム筒６６、および光軸Ｃに沿って前側から順に配置される第１レンズ群Ｌ１〜第４レンズ群Ｌ４と、対応するレンズ群Ｌ１〜Ｌ４をそれぞれ保持する第１レンズ枠６１〜第４レンズ枠６４と、を備えている。また、第２光学系７は、非球面の反射ミラー７１を備えている。
【００３５】
投写光学装置５は、第１光学系６で、第４レンズ群Ｌ４から入射した画像光を光学的に処理した後、第１レンズ群Ｌ１から第２光学系７の反射ミラー７１に射出し、射出された画像光を反射ミラー７１で反射して第１レンズ群Ｌ１の上方向に投写光として射出する。なお、第１レンズ群Ｌ１が、反射ミラー７１に光を射出する第１光学系６の最前段となる。
【００３６】
〔下側筐体５２の概構成〕
投写光学用筐体５１の下側筐体５２は、入射側端部に配置されるフランジ５２１と、フランジ５２１から前側に延設する第１収容部５２２と、第１収容部５２２に延設して前側に拡がる第２収容部５２３とで構成されている。フランジ５２１には、平面視矩形状に形成され、電気光学装置３５が後端面に固定される。また、フランジ５２１の中央部には、挿通穴５２１１を有して、第４レンズ群Ｌ４を保持する第４レンズ枠６４の後側が挿通される。
【００３７】
第１収容部５２２は、概円筒状で、中心軸を境に上側が切り取られた概ね半円筒状に形成され、内部に第１光学系６が収容される。また、第１収容部５２２の上端部で、前側、後側には、投写光学装置５をプロジェクター１内部の固定部材（図示省略）に固定するための固定部５２２１が形成されている。
【００３８】
第２収容部５２３は、前側に拡がる筒状で、中心軸を境に上側が切り取られた概ね半円筒状（半円錐台形状）に形成される。第２収容部５２３の前側端部５２３１は開口され、反射ミラー７１が前側端部５２３１の近くの内面に設置される。
【００３９】
〔上側筐体５３の概構成〕
投写光学用筐体５１の上側筐体５３は、下側筐体５２の上部で、第２収容部５２３の前側端部５２３１から第１収容部５２２の前側中ほどまでを覆うように設置される。また、上側筐体５３は、反射ミラー７１で反射された投写光を透過させる矩形状の透明な透光板５６を、投写光束の中心を結んだ線である投写光軸に略垂直となる角度で保持する透光板保持部５５と、透光板５６を透過した投写光を遮らない角度で形成される傾斜部５４とを備えて概ね構成されている。
【００４０】
上側筐体５３は、下側筐体５２の上端部にネジＳＣ１により固定される。なお、上側筐体５３を下側筐体５２に固定することにより、第１光学系６や第２光学系７から射出された光などの外部への漏れを防ぐことができる。また、上側筐体５３を下側筐体５２に固定することにより、上側筐体５３と下側筐体５２との係合する領域は互いに接した状態で固定されるため、隙間となることを極力抑えている。そのため、塵埃などが投写光学用筐体５１の内部に入ることを抑制している。
【００４１】
本実施形態では、投写光学装置５は、プロジェクター１の外装を構成する外装筐体１０の内部に設置される。図４に示すように、プロジェクター１（外装筐体１０）の上面１Ｂには、透光板５６の外形（透光板保持部５５の開口部５５１）に対応して透光板５６を透過（開口部５５１を通過）した投写光を通過させる開口部１１が形成されている。
【００４２】
〔投写光学装置５の光学系の構成と動作〕
案内筒６５には、前側から後側に向けて光軸Ｃの方向に沿って切り欠かれた直進溝６５２１が貫通して形成されている。案内筒６５は、第１レンズ枠６１と第２レンズ枠６２との外周側を覆う。なお、案内筒６５は、下側筐体５２の内部にネジ固定される。
【００４３】
カム筒６６は、円筒状に形成されており、内側に案内筒６５の一部が挿嵌され、案内筒６５に対して光軸Ｃを中心として回動可能となっている。カム筒６６は、内周面に、前側端部から後側に向けて光軸Ｃの方向に沿って切り欠かれた案内溝（図示省略）と、所定の経路で形成されて第１レンズ群Ｌ１〜第３レンズ群Ｌ３の移動動作を規定するカム溝６６３，６６４，６６５とが形成されている。
【００４４】
カム筒６６の外周面には、図示省略するレバー部材を固定する固定部（図示省略）が形成されている。フォーカス調整を行う場合には、レバー部材を回動させることにより、カム筒６６を案内筒６５に対して回動させて調整する。
【００４５】
第１レンズ群Ｌ１、第２レンズ群Ｌ２、第３レンズ群Ｌ３は、図４に示すように、第１レンズ枠６１、第２レンズ枠６２、第３レンズ枠６３にそれぞれ保持されて、案内筒６５に挿嵌され、光軸Ｃに沿って移動可能に構成されている。各レンズ枠６１，６２，６３には、カムピン６１Ｐ，６２Ｐ，６３Ｐが形成されており、このカムピン６１Ｐ，６２Ｐ，６３Ｐが、案内筒６５の直進溝６５２１と、カム筒６６のカム溝６６３，６６４，６６５とに係合されている。
【００４６】
各レンズ枠６１，６２，６３は、カムピン６１Ｐ，６２Ｐ，６３Ｐがカム筒６６の回動により直進溝６５２１とカム溝６６３，６６４，６６５との交点に誘導されることで光軸Ｃ方向に沿って移動する。この移動により、レンズ群Ｌ１，Ｌ２，Ｌ３が移動することで、画像光のフォーカス調整が行われる。
なお、第４レンズ群Ｌ４は、第４レンズ枠６４に保持されて案内筒６５に挿嵌される。第４レンズ群Ｌ４は、案内筒６５に対して回動させてバックフォーカス調整を行い、調整後、案内筒６５に固定される。
【００４７】
図５は、透光板保持部５５、透光板５６、介在部材５７の分解斜視図である。図３〜図５を参照して、透光板保持部５５、透光板５６、介在部材５７等の構成、組立て、および機能に関して説明する。
【００４８】
［透光板５６の構成］
透光板５６は、反射ミラー７１で反射された画像光を投写光学装置５から外部に透過させる部材である。なお、本実施形態では、投写光学装置５を収容する外装筐体１０の開口部１１（図４参照）が、開口された状態に構成されるため、透光板５６は、外装としての機能を有し、外部に露出した状態となっている。透光板５６は、本実施形態では透明なガラス部材で構成されている。また、透光板５６は矩形状に形成されている。
【００４９】
以降では、説明の便宜上、透光板５６の四辺の外周端面５６１に対して、上側から時計回りに、外周端面５６１ａ，５６１ｂ，５６１ｃ，５６１ｄとする。また、透光板５６の四辺側の外周端面５６１の近傍の領域を辺部５６２とし、上側から時計回りに、辺部５６２ａ，５６２ｂ，５６２ｃ，５６２ｄとする。
【００５０】
［透光板保持部５５の構成］
透光板保持部５５は、透光板５６を後述する保持部５５２に保持して固定する構成部である。透光板保持部５５は、透光板５６の外形に合わせて構成されている。透光板保持部５５は、図５に示すように、投写光を通過させる矩形状の開口部５５１を備えている。また、透光板保持部５５は、開口部５５１に沿って形成されて透光板５６を保持する保持部５５２を備えている。保持部５５２は、矩形状の開口部５５１に沿って、四辺が略同様の幅で一様の面で形成される保持面部５５３と、保持面部５５３から上側に突出する壁部５５４とを備えている。
【００５１】
以降では、説明の便宜上、保持面部５５３に対して、上側から時計回りに、保持面部５５３ａ，５５３ｂ，５５３ｃ，５５３ｄとする。また壁部５５４に対して、上側から時計回りに、壁部５５４ａ，５５４ｂ，５５４ｃ，５５４ｄとする。
【００５２】
壁部５５４の一辺側となる下側の壁部５５４ｃには、中央部に壁部５５４ｃの天面から突出し、開口部５５１側に延出する上側保持部５５５が形成されている。なお、上側保持部５５５と保持面部５５３ｃと壁部５５４ｃとで囲まれる領域で、挿入部が構成される。挿入部には、透光板５６の外周端面５６１ｃが挿入される。一辺側の壁部５５４ｃに相対する上側の壁部５５４ａには、両端部に固定部５５８が構成されている。
【００５３】
［固定部５５８の構成］
固定部５５８は、保持部５５２に設置された透光板５６を、後述する固定板５８を用いて固定する構成部である。固定部５５８は、固定板５８を載置する載置面５５８１と、中央部にネジ孔５５８２が形成される。また、ネジ孔５５８２の両側には固定板５８の位置決め用のダボ５５８３が形成されている。
【００５４】
［固定板５８の構成］
押圧部材としての固定板５８は、固定部５５８に設置されて、透光板５６を押圧して保持部５５２に固定する部材である。固定板５８は、金属の板部材を用いて矩形状に形成されている。固定板５８は、一方の端面５８１が保持部５５２の傾斜角度に合わせて曲折している。また、固定板５８は、略中央部にネジＳＣ２を挿通する孔部５８２が形成され、孔部５８２の両側には、位置決め用の孔部５８３が形成されている。
【００５５】
［介在部材５７の構成］
本実施形態では、透光板５６と保持部５５２との間に、介在部材５７を設置する構成となっている。介在部材５７は、透光板５６を保持部５５２に設置した場合に発生する隙間に対し、押圧されることにより押圧方向に圧縮されて、隙間を塞ぐ機能を有している。
【００５６】
介在部材５７は、本実施形態では、第１介在部材５７１と第２介在部材５７２とで構成されている。そして、介在部材５７は、第１介在部材５７１と第２介在部材５７２とで、保持部５５２を分割する形態で全周を覆う状態に形成されている。本実施形態では、第１介在部材５７１および第２介在部材５７２は、弾力性を有するクッション部材で構成されている。詳細には、第１介在部材５７１および第２介在部材５７２は、クッション部材として、三次元の網目構造を持つ、ポリエチレン樹脂発砲体を用いている。なお、クッション部材は、これに限られず、三次元の網目構造を持つ、ウレタン系スポンジ等を用いてもよい。また、弾力性を有するゴム部材でもよい。
【００５７】
第１介在部材５７１は、図５に示すように、保持面部５５３の三辺側となる保持面部５５３ａ，５５３ｂ，５５３ｄに設置される。第１介在部材５７１は、三辺側の保持面部５５３の形状に対応して、額縁状で、下側の一辺側が切り欠かれた板状に形成されている。なお、第１介在部材５７１の下面には、粘着剤が設置されている。なお、粘着剤は、本実施形態ではテープ両面に接着剤を塗ったいわゆる両面テープ（図示省略）を使用している。
【００５８】
第２介在部材５７２は、図５に示すように、透光板５６の一辺側の外周端面５６１ｃに設置される。第２介在部材５７２は、外周端面５６１ｃの形状に対応して、矩形状の板状に形成されている。なお、第２介在部材５７２の一方の端面には、上述した両面テープ（図示省略）が貼着されている。
【００５９】
［介在部材５７の設置］
第１介在部材５７１は、上述したように、保持面部５５３の三辺側となる保持面部５５３ａ，５５３ｂ，５５３ｄに上方向から設置（貼着）される。言い換えると、第１介在部材５７１は、透光板５６の三辺側の辺部５６２ａ，５６２ｂ，５６２ｄに対応する保持部５５２（保持面部５５３ａ，５５３ｂ，５５３ｄ）に貼着される。また、第２介在部材５７２は、上述したように、透光板５６の一辺側の外周端面５６１ｃに設置（貼着）される。
【００６０】
［透光板５６の保持部５５２への設置］
最初に、透光板５６を、挿入部（上側保持部５５５、保持面部５５３ｃ、および壁部５５４ｃとで囲まれる領域）に、斜め上方から挿入する。詳細には、第２介在部材５７２が貼着された透光板５６の外周端面５６１ｃ側を挿入部に挿入する。そして、挿入方向に対向する壁部５５４ｃに第２介在部材５７２を当接させて更に挿入することで、第２介在部材５７２を押圧して、壁部５５４ｃ側に圧縮する。そして、挿入した状態の透光板５６を、三辺側の壁部５５４ａ，５５４ｂ，５５４ｄの内側となる保持面部５５３ａ，５５３ｂ，５５３ｄに設置する（傾倒させる）。これにより、挿入された透光板５６の辺部５６２ｃは、上方向への移動が規制される。
【００６１】
透光板５６を、三辺側の保持面部５５３ａ，５５３ｂ，５５３ｄに設置した後、２つの固定板５８をそれぞれ固定部５５８に設置する。詳細には、固定板５８の端面５８１を開口部５５１側に向けて、孔部５８３を固定部５５８のダボ５５８３に挿入することで固定板５８を位置決めし、載置面５５８１に載置する。次に、ネジＳＣ２を上側から固定板５８の孔部５８２に挿通し、固定部５５８のネジ孔５５８２に螺合する。これにより、透光板５６は、固定板５８に押圧されて、保持面部５５３側に移動する。透光板５６が保持面部５５３側に移動することにより、保持面部５５３ａ，５５３ｂ，５５３ｄに貼着されている第１介在部材５７１は、押圧されて保持面部５５３側に圧縮される。
【００６２】
図６は、透光板５６が保持部５５２に保持された状態の概断面図であり、左側から見た断面図である。
【００６３】
〔透光板５６が保持部５５２に保持された状態における隙間の状態〕
図６に示すように、透光板５６が保持部５５２に保持され、固定板５８および上側保持部５５５（挿入部）により保持部５５２に固定された状態では、第１介在部材５７１は、透光板５６の押圧により、保持面部５５３ａ，５５３ｂ，５５３ｄ側に圧縮された状態となる。これにより、透光板５６（詳細には、裏面側の辺部５６２ａ，５６２ｂ，５６２ｄ）と、保持面部５５３ａ，５５３ｂ，５５３ｄとの隙間は、第１介在部材５７１により塞がれた状態となる。
【００６４】
また、第２介在部材５７２は、透光板５６の押圧により、壁部５５４ｃ側に圧縮された状態となる。これにより、透光板５６（詳細には、外周端面５６１ｃ）と壁部５５４ｃとの隙間は第２介在部材５７２により塞がれた状態となる。
【００６５】
なお、保持面部５５３ｃの両端部（保持面部５５３ｃと、保持面部５５３ｂ，５５３ｄとの交差する領域）では、第２介在部材５７２により、透光板５６の外周端面５６１ｃと、壁部５５４ｃとの隙間が塞がれ、第１介在部材５７１により、保持面部５５３ｃの両端部と、透光板５６の裏面側の辺部５６２ｃとの隙間が塞がれた状態となる。
【００６６】
以上により、透光板５６は、第１介在部材５７１および第２介在部材５７２により、保持部５５２（透光板保持部５５）との隙間を塞がれた状態で固定される。
【００６７】
上述した実施形態によれば、以下の効果が得られる。
本実施形態の投写光学装置５によれば、透光板５６が矩形状に形成され、透光板５６の一辺側の外周端面５６１ｃに第２介在部材５７２を設置する。そして、透光板５６を、一辺側の外周端面５６１ｃに対応する保持部５５２に備わる挿入部（上側保持部５５５、保持面部５５３ｃ、壁部５５４ｃとで囲まれる領域）に、外周端面５６１ｃを挿入する。この場合、外周端面５６１ｃを挿入しても、第２介在部材５７２が剥離することなく挿入することができ、第２介在部材５７２を保持部５５２（壁部５５４ｃ）に押圧することができる。また、第１介在部材５７１は、透光板５６の他の三辺側の辺部５６２（５６２ａ，５６２ｂ，５６２ｄ）に対応する保持部５５２（保持面部５５３ａ，５５３ｂ，５５３ｄ）に設置され、透光板５６に押圧される。従って、透光板５６を挿入部に挿入する設置構造のように、保持部５５２が一様ではなく異形の形状に構成される場合において、介在部材５７を第１介在部材５７１と第２介在部材５７２とに分割して構成し、第１介在部材５７１と第２介在部材５７２とを押圧することで、透光板５６と保持部５５２との隙間を塞ぐことができる。これにより、投写光学用筐体５１の内部への塵埃の流入を抑制することができる。
【００６８】
本実施形態の投写光学装置５によれば、透光板５６の一辺側の外周端面５６１ｃは挿入部で保持され、透光板５６の三辺側の辺部５６２（５６２ａ，５６２ｂ，５６２ｄ）のうち、辺部５６２ａが押圧部材（固定板５８）に押圧される。これにより、透光板５６は、介在部材５７を押圧した状態で透光板保持部５５に安定して保持される。
【００６９】
本実施形態の投写光学装置５によれば、第１介在部材５７１および第２介在部材５７２は、クッション部材で構成されることにより、第１介在部材５７１および第２介在部材５７２を簡易に構成することができる。
【００７０】
本実施形態のプロジェクター１によれば、透光板５６と、投写光学用筐体５１（透光板保持部５５の保持部５５２）との隙間を介しての、投写光学用筐体５１の内部への塵埃の流入を抑制することができる投写光学装置５を備えるため、投写画像の品質を向上させることができる。
【００７１】
なお、上述した実施形態に限定されず、その要旨を逸脱しない範囲において種々の変更や改良などを加えて実施することが可能である。変形例を以下に述べる。
【００７２】
前記実施形態の投写光学装置５において、保持部５５２には挿入部が備えられており、第２介在部材５７２を貼着した外周端面５６１ｃを挿入して隙間を塞いでいる。しかし、保持部５５２に挿入部を備えていなくても、透光板５６の外周端面５６１のいずれか（例えば、外周端面５６１ｃ）に介在部材５７（例えば、第２介在部材５７２）を設置する構成とすることでもよい。これにより、例えば、壁部５５４ｃに対して、外周端面５６１ｃで押圧して介在部材５７２を圧縮させることができる。これにより、壁部５５４ｃ周辺の例えば保持面部５５３ｃが他の保持面部５５３ａ，５５３ｂ，５５３ｄとは一様に構成されずに、保持面部５５３ｃが使用できない場合にも対応させることができる。なお、この場合、透光板５６の固定は、本実施形態の固定部５５８および固定板５８等を用いて固定することでよい。
【００７３】
前記実施形態の投写光学装置５において、透光板５６の三辺側の辺部５６２（５６２ａ，５６２ｂ，５６２ｄ）のうち、辺部５６２ａが押圧部材（固定板５８）に押圧されている。しかし、これに限られず、第１介在部材５７１が配置されたいずれかの辺部（例えば、辺部５６２ｂ，５６２ｄ）が押圧部材により押圧されてもよい。
【００７４】
前記実施形態の投写光学装置５において、挿入部は、保持部５５２（壁部５５４）において、下側の壁部５５４ｃに構成されているが、上側の壁部５５４ａに構成されていてもよい。その場合、固定部５５８は下側の壁部５５４ｃに構成することでよい。また、その場合、透光板５６は、第２介在部材５７２を設置した外周端面５６１をこの挿入部に挿入することでよい。
【００７５】
前記実施形態の投写光学装置５において、第１介在部材５７１は、保持部５５２（保持面部５５３）の保持面部５５３ａ，５５３ｂ，５５３ｄに設置されている。しかし、これに限られず、第１介在部材５７１は、保持面部５５３ａ，５５３ｂ，５５３ｄに対応する透光板５６の辺部５６２ａ，５６２ｂ，５６２ｄに設置することでもよい。この場合、透光板５６の外周端面５６１ｃには、第２介在部材５７２が設置され、透光板５６の辺部５６２ａ，５６２ｂ，５６２ｄには、第１介在部材５７１が設置される構成となる。
【００７６】
前記実施形態の投写光学装置５において、第１介在部材５７１は、保持面部５５３の三辺側の形状に対応して、額縁状で、下側の一辺側が切り欠かれた板状に形成され、保持部５５２（保持面部５５３）の保持面部５５３ａ，５５３ｂ，５５３ｄに設置される。また、第２介在部材５７２は、外周端面５６１ｃの形状に対応して、矩形状の板状に形成され、透光板５６の外周端面５６１ｃに設置される。しかし、この構成に限定されず、第１介在部材は、保持面部５５３の一辺側の形状に対応させて、矩形状の板状に形成し、例えば、保持面部５５３ａに設置してもよい。そして、第２介在部材は、例えば、外周端面５６１ｂ，５６１ｃ，５６１ｄの形状（長さを含む）に対応させた矩形状の板状に形成し、この第２介在部材を、外周端面５６１ｂ，５６１ｃ，５６１ｄに沿って貼着する構成としてもよい。この構成で透光板５６を保持部５５２に設置しても同様の効果を得ることができる。
【００７７】
前記実施形態の投写光学装置５において、第１介在部材５７１と第２介在部材５７２とは、同様に構成されるクッション部材（本実施形態では、ポリエチレン樹脂発砲体）を用いている。しかし、これに限られず、第１介在部材５７１と第２介在部材５７２とは、異なるクッション部材で構成されていてもよい。例えば、同種のクッション部材であっても、弾力性（硬度）が異なっていてもよい。また、クッション部材自体の構成が異なっていてもよい。
【００７８】
前記実施形態の上側筐体５３における透光板保持部５５は、開口部５５１（図５参照）が矩形状に形成されているが、反射ミラー７１で反射された投写光を通過させる形状であれば、矩形状に限らない。
図７は、変形例の上側筐体１５３を示す斜視図である。図８は、透光板５６が配置された上側筐体１５３を透光板５６側から見た平面図であり、反射ミラー７１で反射された投写光が透光板５６に入射する領域７１Ｌを二点鎖線で示した図である。
図８に示すように、領域７１Ｌは、前側（透光板５６の外周端面５６１ａ側）より後側（透光板５６の外周端面５６１ｃ側）が拡がる形状を有している。上側筐体１５３における透光板保持部１５５の開口部１５５１は、内周縁が領域７１Ｌから離間し、領域７１Ｌの形状に近似した多角状に形成されている。具体的に、開口部１５５１が形成された保持面部１５５３は、矩形状の開口部５５１における四隅に延設された形状を有している。図７に示すように、前側の両隅に延設された延設部１５５３Ａは、後側の両隅に延設された延設部１５５３Ｂより広く、開口部１５５１は、八角形状に形成されている。
このように、保持面部１５５３が広く形成されていることにより、投写光学用筐体５１の内部への塵埃の流入をさらに抑制することができるとともに、投写画像に寄与しない漏れ光等を遮光できるので、投写画像の品質向上が可能となる。
【００７９】
前記実施形態では、透光板５６が２つの固定板５８および上側保持部５５５を用いて保持されるように構成されているが（図３参照）、上側保持部５５５に替えて固定板５８を用いる構成、すなわち、図８に示すように、透光板５６が３つの固定板５８を用いて保持される構成も可能である。
【００８０】
前記実施形態のプロジェクター１は、図１に示すように、支持装置ＳＤを介して底面１Ａが上側となるように壁面Ｗに設置され、プロジェクター１の下側に設置されるスクリーンＳＣに投写画像を投写している。しかし、プロジェクター１の設置の仕方は限定されず、天井面や床面や机上面等に設置して、壁面Ｗに設置されるスクリーンＳＣに投写してもよい。また、プロジェクター１を机上面に設置して、同じ机上面に投写させることでもよい。
【００８１】
前記実施形態のプロジェクター１において、電気光学装置３５は、Ｒ光、Ｇ光、Ｂ光に対応する３つの光変調装置を用いるいわゆる３板方式を採用している。しかし、これに限られず、単板方式の光変調装置を採用してもよい。また、コントラストを向上させるための光変調装置を追加して採用してもよい。
【００８２】
前記実施形態のプロジェクター１において、電気光学装置３５は、透過型の光変調装置（透過型の液晶パネル３５１）を採用している。しかし、これに限られず、反射型の光変調装置を採用してもよい。
【００８３】
前記実施形態のプロジェクター１において、電気光学装置３５は、光変調装置として液晶パネル３５１を採用している。しかし、これに限られず、一般に、入射光束を画像信号に基づいて変調するものであればよく、例えば、マイクロミラー型の光変調装置など、他の方式の光変調装置を採用することができる。なお、マイクロミラー型の光変調装置としては、例えば、ＤＭＤ（Digital Micromirror Device）を採用することができる。
【００８４】
前記実施形態のプロジェクター１において、光学ユニット３は、光源装置３１から射出された光束の照度を均一化する照明光学装置３２として、レンズアレイ３２１，３２２からなるレンズインテグレーター光学系を採用している。しかし、これに限定されるものではなく、導光ロッドからなるロッドインテグレーター光学系も採用することができる。
【００８５】
前記実施形態のプロジェクター１の光学ユニット３において、光源装置３１の光源ランプ３１１は、超高圧水銀ランプなどの放電式ランプを採用しているが、レーザーダイオード、ＬＥＤ（Light Emitting Diode）、有機ＥＬ（Electro Luminescence）素子、シリコン発光素子などの各種固体発光素子を採用してもよい。
【符号の説明】
【００８６】
１…プロジェクター、５…投写光学装置、６…第１光学系（屈折光学系）、７…第２光学系（反射光学系）、３１…光源装置、５１…投写光学用筐体、５３、１５３…上側筐体、５５、１５５…透光板保持部、５６…透光板、５７…介在部材、５８…固定板（押圧部材）、７１…反射ミラー、３２３…偏光変換素子、３５１…液晶パネル（光変調装置）、５５２…保持部、５５３，１５５３…保持面部、５５４…壁部、５５５…上側保持部、５６１…外周端面、５６２…辺部、５７１…第１介在部材、５７２…第２介在部材。
【図１】
2016184153.tif 000003
【図２】
2016184153.tif 000004
【図３】
2016184153.tif 000005
【図４】
2016184153.tif 000006
【図５】
2016184153.tif 000007
【図６】
2016184153.tif 000008
【図７】
2016184153.tif 000009
【図８】
2016184153.tif 000010